(57)【特許請求の範囲】
【請求項１】
セラミックエンドミル（３０）と工具ホルダ（Ａ）とからなる工具ホルダ装置であって、
上記工具ホルダ（Ａ）は、工作機械に着脱可能なシャンク部（１）と、上記セラミックエンドミル（３０）を保持する筒状チャック部（２）とを備え、前記チャック部（２）は保持孔（４）を軸心上に有してその保持孔（４）の周りが筒状肉厚部（２２）となっており、前記保持孔（４）は前記セラミックエンドミル（３０）が挿入されて焼嵌めによってチャック部（２）に保持される機能を有するものであり、
上記チャック部（２）及びシャンク部（３）の軸心には上記保持孔（４）に繋がる空洞部（５）が形成され、
上記チャック部（２）の空洞部（５）からそのチャック部（２）の上記筒状肉厚部（２２）内を通ってその筒状肉厚部（２２）の上記保持孔（４）のセラミックエンドミル（３０）が挿入される端面（２１）近傍からその端面（２１）に開口することなくチャック部（２）の外面に開口する第一ガス流通路（２３）が形成され、
上記チャック部（２）の空洞部（５）から上記第一ガス流通路（２３）内を通るガス（ａ）によって切削時のチャック部（２）の冷却が行われることを特徴とする焼嵌め式工具ホルダ装置。
【請求項２】
セラミックエンドミル（３０）と工具ホルダ（Ａ）とからなる工具ホルダ装置であって、
上記工具ホルダ（Ａ）は、工作機械に着脱可能なシャンク部（１）と、上記セラミックエンドミル（３０）を保持する筒状チャック部（２）とを備え、前記チャック部（２）は保持孔（４）を軸心上に有してその保持孔（４）の周りが筒状肉厚部（２２）となっており、前記保持孔（４）は前記セラミックエンドミル（３０）が挿入されて焼嵌めによってチャック部（２）に保持される機能を有するものであり、
上記チャック部（２）及びシャンク部（３）の軸心には上記保持孔（４）に繋がる空洞部（５）が形成され、
上記チャック部（２）の空洞部（５）からそのチャック部（２）の上記筒状肉厚部（２２）内を通ってその筒状肉厚部（２２）の上記保持孔（４）のセラミックエンドミル（３０）が挿入される端面（２１）に開口する第一ガス流通路（２３）が形成され、その第一ガス流通路（２３）は前記筒状肉厚部端面（２１）に向かって上記チャック部（２）の径方向外側に向かっており、
上記チャック部（２）の空洞部（５）から上記第一ガス流通路（２３）内を通るガス（ａ）によって切削時のチャック部（２）の冷却が行われることを特徴とする焼嵌め式工具ホルダ装置。
【請求項３】
上記空洞部（５）又は第一ガス流通路（２３）から上記チャック部（２）の外面に開口する第二ガス流通路（２５、２６）が形成されていることを特徴とする請求項１又は２に記載の焼嵌め式工具ホルダ装置。
【請求項４】
上記チャック部（２）の筒状肉厚部端面（２１）に熱反射性のコーティング層が形成されていることを特徴とする請求項１乃至３の何れか一つに記載の焼嵌め式工具ホルダ装置。
【請求項５】
上記チャック部（２）の筒状肉厚部端面（２１）が鏡面仕上げされていることを特徴とする請求項１乃至３の何れか一つに記載の焼嵌め式工具ホルダ装置。
【発明の詳細な説明】
【技術分野】
【０００１】
この発明は、セラミックエンドミルを焼嵌め式によって保持する工具ホルダ装置に関するものである。
【背景技術】
【０００２】
マシニングセンタ等に切削工具を装着する工具ホルダＡは、例えば、この発明の一実施形態を示す図１を参照して説明すると、マシニングセンタ等の主軸に着脱可能なシャンク部１と、切削工具３０を保持孔４を介して把持するチャック部２とをマニピュレータ把持部３を介して一体に形成したものである。
この工具ホルダＡにおいて、近年、主軸の高速回転化により、切削工具３０を精度良く強固に把握し、かつ剛性を有する上に、回転バランス等の性能の高度化が望まれ、その要求をみたすものとして、上記チャック部２に切削工具３０を焼嵌め式でもって装着するものが注目されている（特許文献１、２参照）。
【０００３】
一方、近年、低燃費・低排出ガスといった地球環境・地球温暖化対策やエネルギー資源の有効利用の観点および人口の増加から、運航効率の良い航空機や燃焼効率の良い電力用ガスタービン、高温焼却炉等の需要が増してきている。
その航空機用ジェットエンジン、電力用ガスタービンや高温焼却炉など使用状況が超高温となる過酷な環境に使用される部品には、例えばインコネル（登録商標）等のＮｉ基超耐熱合金が使用される。
このＮｉ基超耐熱合金は高温下における機械的特性に優れている材料の一つである反面、加工が困難な被削材で、それらの材料は総称して「難削材」と呼ばれている。
近年、その難削材加工の加工能率を最大限まで高めて、コスト削減を目指したエンドミルによる荒加工の高能率化が求められている。
【０００４】
従来、一般的な超硬ソリッド（超硬合金製）エンドミルで上記難削材を荒加工した場合、その切削速度は２０ｍ／ｍｉｎ程度の低速回転で、工具寿命も短いため、エンドミルによる切削除去量は非常に少ないものとなっている。
このため、加工が難しいといわれる上記難削材に対して高速高能率加工を実現できるセラミックエンドミルが製品化に成功し提案され始めた。
このセラミックエンドミルは、切削熱で被削材と切削工具を高温加熱し、その被削材の機械的強度が低下する温度領域において切削を行うものである。一方、Ｎｉ基超耐熱合金は８００度を超える温度領域に入ると、機械強度が著しく低下（軟化）し切削加工が容易になることが分かっている。
このため、このセラミックエンドミルによるＮｉ基超耐熱合金からなる難削材の切削速度は７００ｍ／ｍｉｎ程度の高速回転加工が可能である。また、加工能率も一般的な超硬ソリッドエンドミルの１０倍〜１００倍を実現している。
【０００５】
しかし、セラミックは超硬合金と比べると、高温特性は高いが、ヤング率が低いため切削時においてビビリやすい。また、欠けやすく、折れやすい性質がある。そのため、使用時にはできる限り突き出し量を短く設定する必要がある。突き出し量が短いほど、工具ホルダは切削熱の伝導熱や輻射熱の影響を受け易い。
また、Ｎｉ基超耐熱合金をセラミックエンドミルで切削する場合、被削材とエンドミルの刃先が接触している箇所は、８００℃以上の高温状態となるため、エンドミルが赤熱し、把持する工具ホルダも伝導熱や輻射熱の影響を受ける。
【０００６】
このとき、焼嵌め式工具ホルダの場合は、熱収縮の原理でエンドミルを把持しているため、工具ホルダ自体が熱影響を受けると把持力の低下を招く。さらに、切削抵抗が大きいため、熱影響で保持孔４の把持力が低下すると、その先端部分でフレッティングコロージョンが発生し、その発生部が起点となりセラミックエンドミル３０が折れる場合がある。
このため、従来では、セラミックエンドミルの製造者は、焼嵌め式工具ホルダＡにセラミックエンドミルを装着してＮｉ基超耐熱合金等の切削加工をすることを推奨していない。
【０００７】
ところで、上記伝導熱が工具ホルダに伝わらないようにしたり、輻射熱を反射や遮蔽したり、その熱を円滑に放出（放熱）したりすれば、チャック部２の温度上昇を抑制できて、把持力の低下を抑制できる。
そのチャック部の放熱を促進する従来技術として、チャック部２の外周面に周方向の溝を形成し、切削工具からの伝導熱等の放熱を促進した技術がある（特許文献１、要約、図１参照）。
しかし、この技術では、Ｎｉ基超耐熱合金をセラミックエンドミルで切削する場合においては、その放熱作用が十分ではなく、工具ホルダ（チャック部２）の把持力が低下し、セラミックエンドミルが工具ホルダに対して抜け出す恐れがある。
【０００８】
また、チャック部２の内面に溝を設けたり、その先端面に通じる通路を設けたりしたものがある（特許文献２段落００１２、図２４、図２５参照）。
この技術は、切削工具の切削作用部分（被削材と刃先の接触部分）に切削加工液や空気を送って冷却する考えであり、チャック部２を積極的に冷却するものではない。また、Ｎｉ基超耐熱合金をセラミックエンドミル３０で切削する場合、セラミックエンドミルを冷却することは、被削材とエンドミルの刃先との接触部分を冷却することとなり、切削効率の低下を招くことにもなる。特に、冷却液の場合、８００℃を超える刃先にその冷却液がかかることとなり、ヒートクラックによりエンドミルの破損を招く恐れがあるとともに、切削温度を下げる問題が生じる。
【先行技術文献】
【特許文献】
【０００９】
【特許文献１】特開２００３−２００３２８公報
【特許文献２】特開平１１−４８００７号公報
【発明の概要】
【発明が解決しようとする課題】
【００１０】
この発明は、以上の実状の下、セラミックエンドミルを焼嵌め式工具ホルダに装着してＮｉ基超耐熱合金等の難削材を切削加工しても、上記把持力の低下等を招かないようにすることを課題とする。
【課題を解決するための手段】
【００１１】
上記課題を解決するために、この発明は、チャック部に送り込んだガスによって、切削しているセラミックエンドミルの先端を冷却することなく、チャック部を冷却することとしたのである。
上記ガスをチャック部の途中から外部に吐出すれば、そのセラミックエンドミルの先端にガスが至ることは少ないが、特許文献２段落００１２第４〜５行に記載のように、チャック部端面から吐出した空気は、工具ホルダが回転するため、切削工具の先端には至らず、被削材とエンドミルの刃先との接触部分を冷却することは少ない。すなわち、チャック部にガスを送り込んでも、切削効率への影響は少ない。
そのガスには、空気が一般的であるが、窒素ガス、アルゴンガス等の不活性のものとしたり、それらのガスに切削油（冷却油）のミストを混ぜたもの等としたりすることができる。
【００１２】
具体的には、工作機械に着脱可能なシャンク部と、セラミックエンドミルを焼嵌め式によって保持する筒状チャック部とを備えた焼嵌め式工具ホルダにおいて、前記シャンク部の空洞部からチャック部の筒状肉厚部内を通ってそのチャック部の筒状肉厚部外面又は端面に開口する第一ガス流通路が形成されて、その第一ガス流通路内を通るガスによって切削時のチャック部の冷却が行われる構成を採用したのである。
【００１３】
この構成において、上記第一ガス流通路が上記筒状肉厚部端面に向かってチャック部の径方向外側に向かっている構成とすれば、前記端面から噴出するガスの中心が被削材とエンドミルの刃先との接触箇所に至ることがより少なくなる。
また、上記空洞部又は第一ガス流通路（両者の場合も含む）からチャック部の外面に開口する第二ガス流通路が形成されておれば、チャック部の冷却が促進される。
さらに、上記チャック部の筒状肉厚部端面に熱反射性のコーティング層を形成したり、チャック部の筒状肉厚部端面を鏡面仕上げしたりすれば、輻射熱の影響を抑制したりすることができる。
以上のように、チャック部を積極的に冷却するとともに、輻射熱の影響を抑制すれば、セラミックエンドミルの突き出し量を短く設定しても、その抜け出し等の不都合が生じる恐れは極めて少なくなる。
【００１４】
以上の各構成の工具ホルダによって、Ｎｉ基超耐熱合金等の難削材を切削加工するには、  その工具ホルダにセラミックエンドミルを焼嵌め式によって装着し、チャック部内部を通ってその筒状肉厚部外面又は端面に開口する第一ガス流通路に冷却ガスを通してチャック部を冷却しながら前記セラミックエンドミルで切削する。
このとき、上記チャック部内部又は第一ガス流通路からチャック部の外面に開口する第二ガス流通路を介しチャック部の外面にも上記冷却ガスを流出するようにすることができる。
【発明の効果】
【００１５】
この発明は、以上のように、ガスによってチャック部を積極的に冷却するようにしたので、焼嵌めしたセラミックエンドミルによって、Ｎｉ基超耐熱合金等の難削材を切削しても、エンドミルが工具ホルダから抜けや折損の恐れもなく、円滑な切削を行うことができる。
【図面の簡単な説明】
【００１６】
【図１】この発明に係る工具ホルダの一実施形態を示し、（a）は切断正面図、（ｂ）は右端面図
【図２】他の実施形態を示し、（a）は一部切欠き切断正面図、（ｂ）は右端面図
【図３】（ａ）〜（ｃ）はさらに他の各実施形態の一部切欠き切断正面図
【図４】さらに他の実施形態を示し、（a）は切断正面図、（ｂ）は右端面図、（ｃ）は他の右端面図
【図５】さらに他の実施形態の一部切り欠き切断正面図
【図６】（ａ）〜（ｃ）はさらに他の各実施形態の一部切欠き切断正面図
【図７】さらに他の実施形態の切断正面図
【発明を実施するための最良の形態】
【００１７】
この発明に係る工具ホルダの一実施形態を図１に示し、この実施形態の工具ホルダＡは、マシニングセンタの主軸に着脱可能なシャンク部１と円筒状チャック部２とを自動工具交換装置（ＡＴＣ）用マニピュレータ把持部（Ｖフランジ部）３を介して一体にしたものである。
そのシャンク部１とチャック部２はマニピュレータ把持部３をシャンク部２側にして分割され、その分割面ｔは、同図に示すように、チャック部側が円筒状嵌合凸部２ａ、シャンク部側が円筒状嵌合凹部１ａの形状となっており、前記円筒状嵌合凸部２ａを円筒状嵌合凹部１ａに嵌めて電子ビーム溶接によって両者を強固に一体化している。チャック部２とシャンク部１との嵌合は、チャック部２側を凹部、シャンク部１側を凸部とし得る。
【００１８】
また、セラミックエンドミル（切削工具）３０の保持孔４がチャック部２の先端面（図１において右端面）２１からマニピュレータ把持部３まで軸心上円柱状に形成されて、その保持孔４の周りが筒状肉厚部２２となっている。この保持孔４の最小径（前記先端面開口径）は、セラミックエンドミル３０の挿入部（被把持部）３１の径より少し小さくされており、その締り代は大きくすることが好ましい。例えば、締り代がエンドミルシャンクの直径の１／１０００〜３／１０００とされており、チャック部２を加熱により熱膨張させて（保持孔４を拡径させて）セラミックエンドミル３０を保持孔４に挿入して冷却することによって、チャック部２にセラミックエンドミル３０が焼嵌めによって強固に支持固定される。このように、保持孔４は、セラミックエンドミル３０が挿入されて焼嵌めによってチャック部２に保持される機能を有する。この強固な焼嵌めを得るチャック部２（シャンク部１、マニピュレータ把持部３）の材料としては、例えば、特許文献２に記載のものを使用する。また、肉厚部２２の肉厚は出来る限り厚くすることが好ましい。
【００１９】
チャック部２及びシャンク部１の軸心には上記保持孔４に繋がる空洞部５が形成され、この空洞部５内にクーラントダクト６がねじ込みによって設けられており、このクーラントダクト６に上記主軸から圧縮空気ａが送り込まれる。
チャック部２の空洞部５からその先端面２１に筒状肉厚部２２内を通る全長に亘り同一円内径の第一ガス流通路２３が形成されている。その第一ガス流通路２３の大きさ、数及び形成位置は、同一流通断面積で周囲等間隔などと被削材とエンドミル３０の刃先との接触箇所（部分）を冷却することなく、チャック部２の冷却を円滑に行い得るように実験によって適宜に設定すれば良い。第一ガス流通路２３の流通断面積は、一方（シャンク部１側又はチャック部２側）に向かって徐々に縮径したり、同拡径したり、その拡縮を段階的に行う形状とすることもできる。
【００２０】
第一ガス流通路２３は、同図に示すように、チャック部２の径方向外側に向かって傾斜していることが好ましいが、軸方向と平行でも良い（図３、図４参照）。その傾斜角度θは、同様に、被削材とエンドミル３０の刃先との接触箇所を冷却することなく、チャック部２の冷却を円滑に行い得るように実験によって適宜に設定すればよい。また、第一ガス流通路２３の端面２１への開口部分を軸方向に対して上向き（外向き）傾斜とすることができる。
なお、チャック部２とシャンク部１が分割されているため、両者を一体化する前に、空洞部５や第一ガス流通路２３を形成することが出来るため、この工具ホルダＡの製作性は良いものとなっている。
【００２１】
チャック部２の外周面には全周に亘って溝２４が形成されている。この溝２４は螺旋状としたり、複数条の円状としたり、周囲複数の軸方向溝としたりすることができる。その各溝の断面形状は、角状としたり、弧状としたりすることができる。この溝２４は省略できる（図３、図４参照）。
【００２２】
この実施形態の工具ホルダＡは以上の構成であり、セラミックエンドミル３０の装着は、従来と同様に、工具ホルダＡ（チャック部２、マニピュレータ把持部３の一部）を例えば３００〜４００度に加熱し熱膨張させて保持孔４を拡径した状態で行なう。
このため、工具ホルダＡが冷却されると、工具ホルダＡにセラミックエンドミル３０が焼嵌めによって強固に装填される。この装着は、保持孔４の全周面とセラミックエンドミル３０の挿入部３１の全周面が隙間なく密着して強固に把持されたものとなる。
【００２３】
この装着状態で、主軸からクーラントダクト６を介して圧縮空気ａを空洞部５に送り込んでＮｉ基超耐熱合金製被削材の切削を行うと、被削材とエンドミル３０の刃先との接触箇所が８００度を超える温度領域になって円滑な荒加工が行われる。
このとき、圧縮空気ａが第一ガス流通路２３内を通過するため、チャック部２がその圧縮空気ａにより冷却され、端面２１から圧縮空気ａが噴出し、切削部分からの放熱を少なからず遮断する（抑制する）。このため、切削部分が８００度を超えても、チャック部２がエンドミル３０が抜ける程度に高温となることはない。
また、放射（輻射）が第一ガス流通路２３に入り込んで（吸収されて）、効率よく冷却されて、チャック部２の温度上昇を抑制する。
【００２４】
上記実施形態において、図２に示すように、チャック部２の空洞部５からチャック部２の外周面に開口する第二ガス流通路２５を設けたり、図３（ａ）〜同（ｃ）に示すように、第一ガス流通路２３からチャック部２の外周面に開口する第二ガス流通路２６を設けたりすることができる。その第二ガス流通路２５、２６の位置や数は任意である。このとき、第一ガス流通路２３は端面２１に開口しないものとし得る（図４参照）。
【００２５】
また、図４に示すように、第一ガス流通路２３を肉厚部２２の端面２１に開口せずにその端面近傍から外周面に向かって開口させることもできる。この場合、その外向き開口路２３ａから肉厚部２２の径方向に空気ａが吐出するため、その空気ａが被削材とエンドミル３０の刃先との接触箇所に至ることは少なくなる。開口路２３ａの傾斜角度は軸方向に対して直交したり、少し前後（軸方向）に傾いたりと任意である。開口路２３ａの流通断面積は第一ガス流通路２３の流通断面積と同じとしたり、小さく（細く）したり、逆に大きく（太く）したりすることができる。さらに、第二ガス流通路２５、２６と開口路２３ａの吐出方向は、同図（ｂ）に示すように、異なる径方向としたり（位相をずらしたり）、同図（ｃ）に示すように同一径方向としたりすることができる。
【００２６】
さらに、図５に示すように、第一ガス流通路２３の内面に溝２７を形成して圧縮空気ａの接触面積を増して冷却効果を高めることができる。その溝２７は第一ガス流通路２３の全長でも、空洞部５側でも、端面２１側でも、中間部のみでも良い。
第一ガス流通路２３の断面形状は、円形が一般的であるが、他の形状とすることもできる。
【００２７】
上記保持孔４の筒状肉厚部端面２１の開口部４ａは、図１に示すように真っ直ぐでも良いが、図６（ａ）に示すように全周に亘り断面直角に切削したり、同図（ｂ）に示すように全周に亘りＲ面取りしたり、同図（ｃ）に示すように全周に亘りＣ面取りしたりすることができる。このようにすると、その部分において、面圧が高くなりフレッティングコロージョンが発生し難く、セラミックエンドミル３０の把持力が低下したり、折損したりする恐れが少なくなる。
【００２８】
図７にはさらに他の実施形態を示し、この実施形態の工具ホルダＡ’は、チャック部２を、シャンク部１と一体のチャックハウジング１０と、そのチャックハウジング１０に取付ナット７を介して取り付けられるチャック本体１１とから構成したものである（特許文献２段落００２７〜００２９、図１〜図３等参照）。
この実施形態においては、従来と同様に、チャックハウジング１０の筒状肉厚部内の周囲にクーラント通路１２が形成されており、その通路１２の開口部には孔１３ａ付ボール１３を有する栓１４がねじ込まれている。そのボール１３の孔向きを変えることによって、その孔１３ａから吐出する空気ａの方向を調節する。その吐出方向は、図に示すように外側としたり、切削部の冷却効果に支障がない限りにおいて、内側（チャック本体１１側）としたりすることができる。
チャック本体１１も従来と同様な形状をしているが、上記第一ガス流通路２３を形成している点が異なる。
【００２９】
この実施形態の工具ホルダＡ’へのセラミックエンドミル３０の装着も、従来と同様に、チャック本体１１を加熱して保持孔４を拡径し、その保持孔４にセラミックエンドミル３０を挿入する。チャック本体１１が冷却されると、チャック本体１１にセラミックエンドミル３０が焼嵌めによって強固に装填される。この後、従来と同様に、このセラミックエンドミル３０付のチャック本体１１をチャックハウジング１０に取付ナット７を介して取り付ける。
【００３０】
この取付（装着）状態で、主軸からクーラントダクト６を介して圧縮空気ａを空洞部５に送り込んでＮｉ基超耐熱合金製被削材の切削を行うと、被削材とエンドミル３０の刃先との接触箇所が８００度を超える温度領域になって円滑な荒加工が行われる。
このとき、クーラント通路１２及び第一ガス流通路２３を圧縮空気ａが通過してチャックハウジング１０及びチャック本体１１が冷却される。このため、同様に、切削部分が８００度を超えても、チャック部２（チャック本体１１）がエンドミル３０が抜ける程度に高温となることはない。
【００３１】
なお、この実施形態における第一ガス流通路２３は、チャック本体１１の先端面に開口していないため、チャック本体１１を上記シャンク部１とチャック部２のように分割し、その分割状態で第一ガス流通路２３を形成し、その後、両者を一体化したり、第一ガス流通路２３をチャック本体１１の先端面に開口させてその開口を栓等で閉止したりする。また、支障が無い限り、第一ガス流通路２３は、チャック本体１１の先端面に開口していても良い。
【００３２】
上記各実施形態において、チャック部２（チャックハウジング１０及びチャック本体１１）の筒状肉厚部端面２１に熱反射性のコーティング層を形成したり、チャック部の筒状肉厚部端面を鏡面仕上げしたり、ホルダＡに焼嵌め作業に伴う加熱により酸化しにくい材料を使用したりして、輻射熱の影響を抑制したりすることができる。このとき、チャック部２の端面２１に加えてその端面２１からチャック部２の外周面の所要長さ（シャンク部１に向かう方向）に前記コーティング層や鏡面仕上げをすることができる。なお、そのコーティング層や鏡面仕上げの作用を発揮する別部材を端面２１等に設けることができる。
【００３３】
チャック部２の外周面に冷却ガスａを吹きかけてさらなる冷却を行うこともできる。また、ガスａには、この発明の作用効果を担保できる限りにおいて、加工油（切削油）をミスト状に混ぜることができる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３４】
１  シャンク部
２  チャック部
３  マニピュレータ把持部
４  保持孔
５  空洞部
２１  筒状肉厚部端面
２２  筒状肉厚部
２３  第一ガス流通路
２３ａ  第一ガス流通路の肉厚部外面への開口路
２４  チャック部外周面溝
２５  第二ガス流通路
２６  第二ガス流通路
２７  第一ガス流通路内周面溝
３０  セラミックエンドミル（切削工具）
a  冷却ガス
【図１】
0006625404.tif 000002
【図２】
0006625404.tif 000003
【図３】
0006625404.tif 000004
【図４】
0006625404.tif 000005
【図５】
0006625404.tif 000006
【図６】
0006625404.tif 000007
【図７】
0006625404.tif 000008